(57)【要約】【課題】耐久性に優れた押し釦スイッチを提供することにある。【解決手段】凹所１１の底面中央に共通固定接点１２を有するとともに、前記凹所１１の隅部に固定接点１３，１４を配置したベース１０と、前記凹所１１内に嵌合し、かつ、外周縁部が前記固定接点１３，１４に接する可動接点である反転バネ３０と、前記反転バネ３０を押し下げる押し釦４０と、からなる押し釦スイッチである。特に、前記ベース１０の固定接点１３，１４と前記反転バネ３０との間に、摩耗防止用中継環状端子２０を配置した。【選択図】図２
2008078090.tif 000002
【特許請求の範囲】
【請求項１】
凹所の底面中央に共通固定接点を有するとともに、前記凹所の隅部に固定接点を配置したベースと、前記凹所内に嵌合し、かつ、外周縁部が前記固定接点に接する可動接点である反転バネと、前記反転バネを押し下げる押し釦と、からなる押し釦スイッチにおいて、
前記ベースの固定接点と前記反転バネとの間に、摩耗防止用中継端子を配置したことを特徴とする押し釦スイッチ。
【請求項２】
摩耗防止用中継端子が円環形状を有していることを特徴とする請求項１に記載の押し釦スイッチ。
【請求項３】
摩耗防止用中継端子の表面に金属メッキを施したことを特徴とする請求項１または２に記載の押し釦スイッチ。
【発明の詳細な説明】
【技術分野】
【０００１】
本発明は押し釦スイッチ、特に、耐久性に優れた押し釦スイッチに関する。
【背景技術】
【０００２】
従来、押し釦スイッチとしては、例えば、特許文献１の第１図ないし第４図に示すように、ケース１と、可動接点５と、操作部７を備えた駆動体６と、覆板８とで構成されたものがある（特許文献１参照）。
【０００３】
前記押し釦スイッチでは、操作部７を押し下げて駆動体６を操作することにより、可動接点５の中央部が押し下げられる。そして、所定の位置まで可動接点５の中央部が下降すると、その中央部が反転し、ケース１の凹所の底面に設けた固定接点４に接触し、前記可動接点５を介して固定接点４と固定接点３とが導通する。
【特許文献１】特開昭６４−７４４２号公報
【発明の開示】
【発明が解決しようとする課題】
【０００４】
しかしながら、前述の押し釦スイッチでは、駆動体６によって可動接点５の中央部が押し下げられると、その外周縁部が固定接点３の上面をスライド移動する。このため、例えば、固定接点３の表面に金メッキが施されていると、金メッキが削られ、接触抵抗が増大する。また、前記固定接点３が真ちゅうであり、かつ、可動接点５がステンレスやりん青銅であると、可動接点５が削られて摩耗しやすく、耐久性に乏しいという問題点がある。
【０００５】
本発明は、前記問題点に鑑み、耐久性に優れた押し釦スイッチを提供することを課題とする。
【課題を解決するための手段】
【０００６】
本発明にかかる押し釦スイッチは、前記課題を解決すべく、凹所の底面中央に共通固定接点を有するとともに、前記凹所の隅部に固定接点を配置したベースと、前記凹所内に嵌合し、かつ、外周縁部が前記固定接点に接する可動接点である反転バネと、前記反転バネを押し下げる押し釦と、からなる押し釦スイッチにおいて、前記ベースの固定接点と前記反転バネとの間に、摩耗防止用中継端子を配置した構成としてある。
【発明の効果】
【０００７】
本発明によれば、反転バネの外周縁部が摩耗防止用中継端子の上面をスライド移動するので、固定接点が摩耗しにくい。特に、反転バネの圧力が低減し、摩擦力が小さくなるので、より一層摩耗しにくくなり、耐久性が向上する。
また、前記摩耗防止用中継端子の厚さ寸法を適宜、変更することにより、バネ特性を変えることができ、所望の操作感触が得られる。
【０００８】
本発明にかかる実施形態としては、前記摩耗防止用中継端子は円環形状を有していてもよい。
本実施形態によれば、組立時の方向性が無くるとともに、接触時の摩擦力が均一になる。
【０００９】
また、本発明にかかる他の実施形態としては、前記摩耗防止用中継端子の表面に金属メッキを施しておいてもよい。
本実施形態によれば、導電性が高くなり、接触信頼性の高い押し釦スイッチが得られるという効果がある。
【発明を実施するための最良の形態】
【００１０】
本発明にかかる押し釦スイッチの実施形態を図１ないし図６の添付図面に従って説明する。
本実施形態は、図１および図２に示すように、大略、ベース１０と、摩耗防止用中継環状端子２０と、可動接点である反転バネ３０と、押し釦４０と、カバー５０とで構成されている。
【００１１】
前記ベース１０は、図３に示すように、平面方形の樹脂成形品であり、その中央部に設けた円形凹所１１の底面中央に共通固定接点１２をインサート成形で突設してあるとともに、前記共通固定接点１２を間にし、かつ、前記凹所１１の隅部に固定接点１３，１４を埋設してある。前記共通固定接点１２は、前記ベース１０の下面から引き出され、かつ、対向する外側面に沿って曲げ起こした端子１５，１５に接続されている。一方、前記固定接点１３，１４は前記ベース１０の下面から引き出され、かつ、対向する外側面に沿って曲げ起こした端子１６，１７に接続されている。また、前記ベース１０の上面隅部には位置決め用段部１８が形成されているとともに、前記凹所１１の内周面のうち、前記共通固定接点１２を間にして対向する位置に位置決め用切り欠き部１１ａ，１１ｂがそれぞれ設けられている。さらに、前記ベース１０の対向する外側面縁部に係止用爪部１０ａが形成されている。
【００１２】
摩耗防止用中継環状端子２０は、図２に示すように、前記凹所１１に嵌合でき、かつ、前記固定接点１３，１４を被覆する外周形状を有し、その外周縁部に一対の位置決め用突部２１が設けられている。前記摩耗防止用中継環状端子２０としては、例えば、りん青銅やステンレス等の硬度が大きく、かつ、導電性に優れた材料が好ましい。また、前記中継環状端子２０は、連続する環状である必要はなく、不連続な円弧であってもよい。さらに、前記中継環状端子２０は、断面が扁平である必要はなく、断面が円形であってもよい。
【００１３】
反転バネ３０は、薄円板形状の導電材にプレス加工を施してドーム状に成形したものであり、可動接点として機能する。そして、前記反転バネ３０は、前記凹所１１に嵌合可能な外周形状を有するとともに、対向する外周縁部に一対の位置決め用突起３１を設けてある。
【００１４】
押し釦４０は、前記ベース１０の上面を被覆可能な外周形状を有し、その中央部に上下方向に突出する操作用突部４１を設けるとともに、その下面隅部に前記ベース１０の位置決め用段部１８に嵌合可能な突部４２を突設してある。
【００１５】
カバー５０は、前記ベース１０を被覆可能な平面形状を有し、その中央部に嵌合孔５１を有するとともに、対向する両側縁部から延在した折り曲げ部５２の角部に係止用切り欠き部５３を設けてある。
【００１６】
次に、前述の構成部品からなる押し釦スイッチは、前記ベース１０の凹所１１に設けた切り欠き部１１ａ，１１ｂに、摩耗防止用中継環状端子２０の突部２１および反転バネ３０の突起３１をそれぞれ嵌合して順次、組み込む。ついで、前記ベース１０の上面に設けた位置決め用段部１８に、押し釦４０の突部４２を嵌合して位置決めした後、カバー５０を被せて嵌合孔５１に操作用突部４１を嵌合し、前記ベース１０の係止用爪部１０ａに前記カバー５０の切り欠き部５３を係合することにより、組立作業が完了する。
【００１７】
そして、押し釦４０の操作前には、図４Ａに示すように、反転バネ３０が押し釦４０の操作用突部４１を上方に押し上げ、反転バネ３０の外周縁部が摩耗防止用中継環状端子２０を介して固定接点１３，１４に接触している一方、その中央部は共通固定接点１２から開離している。
【００１８】
そして、前記押し釦４０の操作用突部４１を押し下げると、反転バネ３０の中央部が押し下げられ、所定の位置まで下降すると、反転バネ３０の中央部が反転して共通固定接点１２に接触し、摩耗防止用中継環状端子２０および反転バネ３０を介して前記共通固定接点１２と固定接点１３，１４とが導通する。
【００１９】
ついで、前記押し釦４０に対する押圧を解除すると、反転バネ３０のバネ力で押し釦４０が押し上げられ、反転バネ３０の中央部が共通固定接点１２から開離し、元の状態に復帰する。
【００２０】
本実施形態によれば、反転バネ３０が押し下げられ、その外周縁部が外方にスライド移動しても、硬い摩耗防止用中継環状端子２０上を移動するとともに、反転バネの圧力が低減し、摩擦力が小さくなるので、摩耗が生じにくい。このため、従来例よりも耐久性に優れた押し釦スイッチが得られる。
【００２１】
また、本実施形態によれば、摩耗防止用中継環状端子２０の厚さ寸法を適宜選択すれば、図６に示すように、バネ特性を変えることができる。このため、所望の操作感触を有する押し釦スイッチが得られるという利点がある。
【産業上の利用可能性】
【００２２】
本発明にかかる押し釦スイッチは、前述の実施形態に限らず、他の押し釦スイッチに適用してもよいことは勿論である。
【図面の簡単な説明】
【００２３】
【図１】本願発明にかかる押し釦スイッチの実施形態を示す斜視図である。
【図２】図１で示した押し釦スイッチの分解斜視図である。
【図３】図２で示したベースの平面図である。
【図４】図Ａおよび図Ｂは図１で示した押し釦スイッチの操作前のＡ−Ａ線断面図および断面斜視図である。
【図５】図Ａおよび図Ｂは図１で示した押し釦スイッチの操作後のＡ−Ａ線断面図および断面斜視図である。
【図６】操作感触を説明するためのグラフ図である。斜視図である。
【符号の説明】
【００２４】
１０：ベース
１１：凹所
１２：共通固定接点
１３，１４：固定接点
１５，１６，１７：端子
２０：摩耗防止用中継環状端子
２１：位置決め用突部
３０：反転バネ（可動接点）
３１：位置決め用突起
４０：押し釦
４１：操作用突部
５０：カバー
【図１】
2008078090.tif 000003
【図２】
2008078090.tif 000004
【図３】
2008078090.tif 000005
【図４】
2008078090.tif 000006
【図５】
2008078090.tif 000007
【図６】
2008078090.tif 000008